(57)【要約】【課題】垂直配向モードを採用するとともに表示ムラを低減して、マルチプレックス駆動に好適な液晶表示装置を提供する。【解決手段】液晶表示装置１を、水平方向に伸びるコモン電極３を有する液晶表示パネル１０と、出力端子Ｃ１〜Ｃ６からコモン電極３のそれぞれに走査信号を出力する駆動ＩＣ４と、コモン電極３と駆動ＩＣ４の出力端子Ｃ１〜Ｃ６とを接続する配線ＣＬ１〜ＣＬ６とを用いて構成する。コモン電極３は、配線取り出しの方向が互いに異なるコモン電極３−１、３−３、３−５とコモン電極３−２、３−４、３−６とが、１つずつ交互に配置されるように構成され、配線ＣＬ１〜ＣＬ６は、駆動ＩＣ４の走査信号が、コモン電極３−１、３−３、３−５のそれぞれに出力された後、コモン電極３−２、３−４、３−６のそれぞれに出力されるように配置される。【選択図】図１
2013057833.tif 000002
【特許請求の範囲】
【請求項１】
水平方向または垂直方向に伸びる複数のコモン電極と当該コモン電極と交差するように垂直方向または水平方向に伸びるセグメント電極とを有する液晶表示パネルと、
複数の出力端子を有し、前記複数のコモン電極のそれぞれに走査信号を出力する駆動ＩＣと、
前記液晶表示パネルの前記コモン電極と前記駆動ＩＣの出力端子とを接続する複数の配線とを有する液晶表示装置であって、
前記複数のコモン電極は、配線取り出しの方向が互いに異なるそれぞれ複数の第１コモン電極と第２コモン電極とが、１つずつ交互に配置されるように構成されており、
前記配線は、前記駆動ＩＣからの前記走査信号が、前記複数の第１コモン電極のそれぞれに出力された後、前記複数の第２コモン電極のそれぞれに出力されるように配置されることを特徴とする液晶表示装置。
【請求項２】
水平方向または垂直方向に伸びる複数のコモン電極と当該コモン電極と交差するように垂直方向または水平方向に伸びるセグメント電極とを有する液晶表示パネルと、
複数の出力端子を有し、前記複数のコモン電極のそれぞれに走査信号を出力する駆動ＩＣと、
前記液晶表示パネルの前記コモン電極と前記駆動ＩＣの出力端子とを接続する複数の配線とを有する液晶表示装置であって、
前記複数の配線は、少なくとも１つが、絶縁層を介して他の前記配線または当該他の配線に接続する前記コモン電極と交差する交差部を形成するよう配置され、
前記駆動ＩＣからの前記走査信号の出力が、直前に前記走査信号が出力された前記コモン電極と隣接するコモン電極を除いた前記コモン電極に行われるように構成されたことを特徴とする液晶表示装置。
【請求項３】
前記駆動ＩＣは、前記液晶表示パネル上に配置され、
前記交差部が前記液晶表示パネル上に形成されることを特徴とする請求項２に記載の液晶表示装置。
【請求項４】
前記駆動ＩＣは、前記液晶表示パネルに接続するプリント基板の上に配置されており、
前記複数の配線の一部が、前記プリント基板上に配置されるとともに、前記交差部が当該プリント基板上に形成されることを特徴とする請求項２に記載の液晶表示装置。
【請求項５】
前記プリント基板は、フレキシブルなプリント基板であることを特徴とする請求項４に記載の液晶表示装置。
【請求項６】
前記液晶表示パネルは、一対の基板間に垂直配向する液晶を挟持して構成された垂直配向型の液晶表示パネルであることを特徴とする請求項１〜５のいずれか１項に記載の液晶表示装置。
【発明の詳細な説明】
【技術分野】
【０００１】
本発明は、液晶表示装置に関する。
【背景技術】
【０００２】
液晶表示装置は、液晶表示パネルを用いて構成される。液晶表示パネルは、観察者の側に配置される透明な基板と、この透明な基板に対向して観察者とは反対側に配置される透明な基板との間に、液晶層が挟持されて構成される。液晶表示パネルの液晶層は、例えば、ネマチック相の液晶（以下、ネマチック液晶とも言う。）からなる。各基板の内面には、パターニングされた、例えばＩＴＯ（Ｉｎｄｉｕｍ  Ｔｉｎ  Ｏｘｉｄｅ：酸化インジウムスズ）などからなる透明な電極が設けられている。各基板上の電極と液晶層との間には、液晶の均一な初期配向を実現する配向制御層として配向膜が設けられる。そして、電極間に印加される電界に応じて、液晶層が初期配向状態から配向変化し、液晶層を透過する光の偏光状態が制御される。液晶層を挟んで対向する２枚の基板の外面には、２枚の基板を挟んで、観察者の側とその反対側に一対の偏光板が配置される。
【０００３】
液晶表示装置は、液晶層の初期配向状態並びに電圧印加時の液晶の動作などから、いくつかのモードに分類される。例えば、液晶テレビや、自動車などの車両のインストルメントパネルなどいわゆる車載用に利用される液晶表示装置には、垂直配向（Ｖｅｒｔｉｃａｌ  Ａｌｉｇｎｍｅｎｔ：ＶＡ）モードが用いられ、垂直配向型の液晶表示装置が構成される（例えば、特許文献１および特許文献２を参照のこと。）。
【０００４】
垂直配向型の液晶表示装置では、液晶表示パネルの２枚の基板間に、初期配向状態が基板と概ね垂直（垂直配向）となるように配向された負の誘電率異方性（Δε）を有する液晶層が設けられる。偏光板については、２枚の基板の外面に、液晶層を挟んでクロスニコルを構成するように一対の偏光板が配置されるのが通常である。そして、電極を介して液晶層に電圧を印加すると、液晶の配向が変化し、液晶は電界に対して垂直になろうとする。その結果、液晶層は基板に対して平行な方向に配向するようになる。こうした液晶層の配向変化により、電圧が印加された領域では、初期の状態と比較して、液晶の屈折率異方性（Δｎ）と液晶層の厚み（ｄ）との積（Δｎ・ｄ）によって定まる光の透過特性が変化する。垂直配向型の液晶表示装置では、電圧の印加部分における光の透過特性の変化を利用して、所望とする表示が行われる。
【０００５】
垂直配向型の液晶表示装置は、正面から見たときのコントラスト比が高く、視野角が広いという特性を有し、視認性に優れるという特徴を備える。したがって、画素毎にＴＦＴなどのスイッチング素子を設けたアクティブマトリクス液晶表示装置に適用され、上述のように、テレビ用などに広く用いられている。
【先行技術文献】
【特許文献】
【０００６】
【特許文献１】特開平５−１１３５６１号公報
【特許文献２】特開平１０−１２３５７６号公報
【発明の概要】
【発明が解決しようとする課題】
【０００７】
垂直配向型の液晶表示装置は、以上の優れた特徴を備え、より広い範囲での応用が求められている。具体的には、より製造が簡便で生産性の高い、マルチプレックス駆動を用いたパッシブマトリクス液晶表示装置に応用することが求められている。例えば、携帯電話や携帯コンピュータなどの携帯用電子機器のディスプレイへの使用が求められている。
しかしながら、垂直配向型のパッシブマトリクス液晶表示装置の応用は、現状では限定的であり、用途も限定されている。その理由の１つに、マルチプレックス駆動を用いた垂直配向型のパッシブマトリクス液晶表示装置に発生する特有の表示ムラの問題がある。
【０００８】
マルチプレックス駆動されるパッシブマトリクス液晶表示装置では、ドットマトリクス表示に対応するよう、液晶表示パネルの電極が、水平方向（行方向）または垂直方向（列方向）に伸びる複数の細長いコモン電極（走査電極とも言う。）と、コモン電極と交差するように垂直方向（列方向）または水平方向（行方向）に伸びるセグメント電極（信号電極とも言う。）とから構成されるのが通常である。そして、各コモン電極を順次選択して駆動するとともに、各コモン電極の選択期間と同期して、画像表示に対応する電圧をセグメント電極に印加し、コモン電極とセグメント電極との交差領域にある液晶層の配向変化を促して所望の画像表示を行う。こうしたマルチプレックス駆動を行うことにより、高密度のドットマトリクス表示を可能とする。
【０００９】
このとき、垂直配向型のパッシブマトリクス液晶表示装置の場合では、特に高Ｄｕｔｙ駆動を行ったときに顕著であるが、液晶表示パネルの液晶層において液晶の流れが発生する。この液晶の流れは、液晶層における配向の乱れを生じさせる。そして、この配向乱れは表示ムラとして視認されることになり、液晶表示装置の表示品位の低下を引き起こす原因となる。
【００１０】
こうした表示ムラによる表示品位の低下は、上述のように、垂直配向型のパッシブマトリクス液晶表示装置の用途を拡大する上での妨げとなる。そのため、垂直配向モードの優れた特徴を備えるとともに、表示ムラを低減し、マルチプレックス駆動に好適な液晶表示装置が求められている。
【００１１】
本発明は、こうした点に鑑みてなされたものである。すなわち、本発明の目的は、垂直配向モードを採用するとともに表示ムラを低減した、マルチプレックス駆動に好適な液晶表示装置を提供することである。
【００１２】
本発明の他の目的および利点は、以下の記載から明らかとなるであろう。
【課題を解決するための手段】
【００１３】
本発明の第１の態様は、水平方向または垂直方向に伸びる複数のコモン電極とそのコモン電極と交差するように垂直方向または水平方向に伸びるセグメント電極とを有する液晶表示パネルと、
複数の出力端子を有し、複数のコモン電極のそれぞれに走査信号を出力する駆動ＩＣと、
液晶表示パネルのコモン電極と駆動ＩＣの出力端子とを接続する複数の配線とを有する液晶表示装置であって、
複数のコモン電極は、配線取り出しの方向が互いに異なるそれぞれ複数の第１コモン電極と第２コモン電極とが、１つずつ交互に配置されるように構成されており、
配線は、駆動ＩＣからの走査信号が、複数の第１コモン電極のそれぞれに出力された後、複数の第２コモン電極のそれぞれに出力されるように配置されることを特徴とする液晶表示装置に関する。
【００１４】
本発明の第２の態様は、水平方向または垂直方向に伸びる複数のコモン電極とそのコモン電極と交差するように垂直方向または水平方向に伸びるセグメント電極とを有する液晶表示パネルと、
複数の出力端子を有し、複数のコモン電極のそれぞれに走査信号を出力する駆動ＩＣと、
液晶表示パネルのコモン電極と駆動ＩＣの出力端子とを接続する複数の配線とを有する液晶表示装置であって、
複数の配線は、少なくとも１つが、絶縁層を介して他の前記配線または当該他の配線に接続するコモン電極と交差する交差部を形成するよう配置され、
駆動ＩＣからの走査信号の出力が、直前に走査信号が出力されたコモン電極と隣接するコモン電極を除いたコモン電極に行われるように構成されたことを特徴とする液晶表示装置に関する。
【００１５】
本発明の第２の態様において、駆動ＩＣは、液晶表示パネル上に配置され、
交差部が液晶表示パネル上に形成されることが好ましい。
【００１６】
本発明の第２の態様において、駆動ＩＣは、液晶表示パネルに接続するプリント基板の上に配置されており、
複数の配線の一部が、プリント基板上に配置されるとともに、交差部がそのプリント基板上に形成されることが好ましい。
【００１７】
本発明の第２の態様において、プリント基板は、フレキシブルなプリント基板であることが好ましい。
【００１８】
本発明の第１の態様または第２の態様において、液晶表示パネルは、一対の基板間に垂直配向する液晶を挟持して構成された垂直配向型の液晶表示パネルであることが好ましい。
【発明の効果】
【００１９】
本発明によれば、垂直配向モードを採用するとともに表示ムラを低減して、マルチプレックス駆動に好適な液晶表示装置が提供される。
【図面の簡単な説明】
【００２０】
【図１】本発明の第１実施形態の液晶表示装置の構造を模式的に説明する平面図である。
【図２】本実施形態の液晶表示装置の断面構造を模式的に説明する図である。
【図３】本実施形態における画像表示の方法を説明する図であり、（ａ）は、従来の液晶表示装置を用いて行う画像表示の方法を説明する図であり、（ｂ）は、本実施形態の液晶表示装置を用いて行う画像表示の方法を説明する図である。
【図４】本発明の第２実施形態の液晶表示装置の構造を模式的に説明する平面図である。
【図５】本発明の第３実施形態の液晶表示装置の構造を模式的に説明する平面図である。
【図６】本発明の第４実施形態の液晶表示装置の構造を模式的に説明する平面図である。
【図７】従来の配線構造を有する従来の液晶表示装置の構造を模式的に説明する平面図である。
【発明を実施するための形態】
【００２１】
本発明者らは、垂直配向型の液晶表示装置をマルチプレックス駆動したときに生じる表示ムラについて検討を行い、本発明をするに至った。以下で、図面を用い、適宜、従来構造の液晶表示装置を参照しながら、本発明の実施形態の液晶表示装置について説明する。尚、各図面の記載において、共通する構成要素については同一の符号を付するようにし、重複する説明は省略する。
【００２２】
図７は、従来の配線構造を有する従来の液晶表示装置の構造を模式的に説明する平面図である。
【００２３】
図７に示す従来の液晶表示装置１０００は、垂直配向モードの液晶表示パネル１００１を用いた垂直配向型の液晶表示装置１０００である。液晶表示装置１０００は液晶表示パネル１００１上に配置された駆動ＩＣ１００４と、駆動ＩＣ１００４に接続する複数の配線ＣＬ１００１〜ＣＬ１００６とを有して構成される。
垂直配向モードの液晶表示パネル１００１は、液晶層（図示されない）を挟持する一対の基板１０１１、１０１２上に、水平方向（行方向）に伸びる複数のコモン電極１００３と、コモン電極１００３と交差するように垂直方向（列方向）に伸びるセグメント電極（図７中、図示されない。）とを配置して有する。基板１０１１と基板１０１２は、シール部１００５によって互いに固定されている。液晶表示装置１０００は、垂直配向モードの液晶表示パネル１００１を有し、垂直配向型のパッシブマトリクス液晶表示装置を構成する。
【００２４】
液晶表示パネル１００１上に配置された駆動ＩＣ１００４は、液晶表示パネル１００１の複数のコモン電極１００３のそれぞれに対して走査信号を順次出力する出力端子Ｃ１００１〜Ｃ１００６を有する。
【００２５】
図７に示すように、液晶表示パネル１００１の複数のコモン電極１００３−１〜１００３−６は、それぞれ水平方向に伸びる形状を有しており、左側にある一方の端部が用いられて配線取り出しが行われる。
【００２６】
複数の配線ＣＬ１００１〜ＣＬ１００６は、コモン電極１００３のそれぞれと駆動ＩＣ１００４の出力端子Ｃ１００１〜Ｃ１００６との間をそれぞれ接続する。すなわち、配線ＣＬ１００１は、駆動ＩＣ１００４の出力端子Ｃ１００１に接続し、他の配線ＣＬ１００２〜ＣＬ１００６も同様に、対応する駆動ＩＣ１００４の出力端子Ｃ１００２〜Ｃ１００６に接続する。そして、配線ＣＬ１００１〜ＣＬ１００６は、それぞれがコモン電極１００３に接続し、駆動ＩＣ１００４の出力端子Ｃ１００１〜Ｃ１００６から出力される走査信号がコモン電極１００３のそれぞれに入力される配線構造を有する。
【００２７】
より詳しくは、液晶表示装置１０００では、走査信号が、駆動ＩＣ１００４の出力端子Ｃ１００１〜Ｃ１００６から、出力端子Ｃ１００１〜出力端子Ｃ１００６の順番で順次出力される。そして、液晶表示パネル１００１の垂直方向に配列されたコモン電極１００３のそれぞれに対し、最上部にあるコモン電極１００３−１からその下方にある他のコモン電極１００３−２〜１００３−６に向けて走査信号が順次入力される線順次走査を実現する。
【００２８】
こうした構造を有する従来の垂直配向型の液晶表示装置１０００では、上述したように、特有の表示ムラが発生する。この表示ムラの発生には、上述した従来方法による線順次走査が影響している。すなわち、従来方法による線順次走査では、複数配置されたコモン電極１００３のそれぞれに対し、配置の順番通りに走査信号を出力し、選択を行う。そのため、複数のコモン電極のうちの１つのコモン電極に走査信号の出力がなされた後、それに続く走査信号の出力が、その１つのコモン電極に隣接するコモン電極で行われる。こうした方法は、１つのコモン電極の選択によって液晶（図示されない）の流れを誘起し、それに続く隣接コモン電極の選択が、その液晶の流れを助長させることになる。その結果、垂直配向型の液晶表示装置１０００において、表示ムラを発生させることになる。
【００２９】
そこで、本実施形態の液晶表示装置では、マルチプレックス駆動したときに線順次走査により誘発される液晶の流れを低減可能な新規な構造を有する。以下、本実施形態の液晶表示装置について説明する。
【００３０】
［実施形態１］
図１は、本発明の第１実施形態の液晶表示装置の構造を模式的に説明する平面図である。
【００３１】
図１に示す本実施形態の液晶表示装置１は、垂直配向モードの液晶表示パネル１０と、液晶表示パネル１０上に配置されて複数の出力端子Ｃ１〜Ｃ６から走査信号を順次出力する駆動ＩＣ４と、液晶表示パネル１０のコモン電極３と駆動ＩＣ４との間を接続する複数の配線ＣＬ１〜ＣＬ６とを有する。
【００３２】
図２は、本実施形態の液晶表示装置の断面構造を模式的に説明する図である。
【００３３】
図２では、本実施形態の液晶表示装置１の各部の構造と各部間の接続構造を説明するため、模式的に配線ＣＬ１と駆動ＩＣ４も含むように記載している。
【００３４】
図２に示すように、本実施形態の液晶表示装置１の液晶表示パネル１０は、観察者（図示されない）の側に配置される透明な基板１１と、基板１１に対向して観察者とは反対側に配置され、基板１１より大きく形成された透明な基板１２との間に、液晶層１３が挟持されて構成される。そして、液晶層１３の周囲にはシール部５が設けられ、液晶層１３を挟持する基板１１と基板１２とを互いに固定する。液晶表示パネル１０の液晶層１３は、ネマチック液晶からなる。本実施形態の液晶表示装置１では液晶層１３を、初期配向状態が基板１１、１２と概ね垂直（垂直配向）となるように配向された負の誘電率異方性（Δε）を有する液晶層１３とすることが可能である。その場合、液晶表示パネル１０は、上述したように、垂直配向モードとなる。また、基板１１から突出された基板１２の端子部には、駆動ＩＣ４が実装されている。
【００３５】
図２に示すように、液晶層１３を挟持する２枚の基板１１、１２のそれぞれの内面には複数のコモン電極３と複数のセグメント電極１４が配置されている。
図１および図２に示される垂直配向モードの液晶表示パネル１０は、水平方向（行方向）に伸びる複数の細長い短冊状のコモン電極３と、コモン電極３と交差するように垂直方向（列方向）に伸びる複数のセグメント電極１４（図１中には図示されない。）とを有する。コモン電極３は基板１１上に配置され、セグメント電極１４（図１中には図示されない。）は基板１２上に配置される。尚、コモン電極３とセグメント電極１４は、例えば、ＩＴＯなどの透明な導電性材料からなる透明導電膜をパターニングして形成される。
【００３６】
図１に示すように、複数のコモン電極３−１〜３−６は、例えば、それぞれ水平方向に伸びる形状を有しており、その両端のうちのいずれか一方の端部が使用され、配線取り出しが行われる構造を有する。
【００３７】
図１に示す本実施形態の液晶表示装置１の液晶表示パネル１０において、複数のコモン電極３−１〜３−６は、配線取り出しの方向が同じコモン電極３−１、３−３，３−５と、それらとは異なるコモン電極３−２、３−４、３−６とからなる。すなわち、図１の液晶表示パネル１０では、コモン電極３−１、３−３、３−５とコモン電極３−２、３−４、３−６との間で、配線取り出しの行われる端部が異なっている。複数のコモン電極３−１、３−３、３−５では、行方向の左側の端部で配線取り出しが行われ、複数のコモン電極３−２、３−４、３−６では、行方向の右側の端部で配線取り出しが行われている。その結果、液晶表示パネル１０の複数のコモン電極３−１〜３−６は、配線取り出しの方向が等しいコモン電極３−１、３−３、３−５と、配線取り出しの方向がそれらと異なり逆方向となるコモン電極３−２、３−４、３−６とが、１つずつ交互に配置されるように構成されている。
【００３８】
尚、図１に示す液晶表示パネル１０は、コモン電極３が水平方向に伸びる構造を有するが、本実施形態においてはこうした構造に限られず、液晶表示パネル１０のコモン電極が垂直方向（列方向）に伸びる構造とすることも可能である。その場合、セグメント電極は水平方向（行方向）に伸びる構造となる。
【００３９】
また、図１に示すように、液晶表示パネル１０は、コモン電極３が６つ配置された構造を有するが、これは一例であり、本実施形態においてはこうした構造に限られず、液晶表示パネル１０をより多数のコモン電極３を配置した構造とすることが可能である。同様に、駆動ＩＣ４についても、出力端子数をより多い数とすることが可能である。
【００４０】
液晶表示パネル１０において、各基板１１、１２上のコモン電極３およびセグメント電極１４と液晶層１３との間には、液晶の均一な初期配向を実現する配向膜（図示されない）が設けられる。液晶層１３を挟んで対向する２枚の基板１１、１２の外面には、２枚の基板１１、１２を挟んで、観察者の側とその反対側に一対の偏光板（図示されない）が配置される。偏光板は、液晶層１３を挟んでクロスニコルを構成するように配置される。
液晶表示装置１は、垂直配向モードの液晶表示パネル１０を用いた垂直配向型のパッシブマトリクス液晶表示装置を構成する。
【００４１】
図１および図２に示すように、液晶表示パネル１０の基板１２上の周縁部には駆動ＩＣ４が配置されている。駆動ＩＣ４は、上述したように、液晶表示パネル１０の複数のコモン電極３−１〜３−６のそれぞれに対して、走査信号を順次出力する出力端子Ｃ１〜Ｃ６を有する。
【００４２】
尚、駆動ＩＣ４は、出力端子が６個配置された構造を有するが、これは一例であり、本実施形態においてはこうした構造に限られず、駆動ＩＣ４をより多数の出力端子を配置した構造とすることが可能である。そして、駆動ＩＣ４の形状および出力端子Ｃ１〜Ｃ６の配置構造についても、図１に示す形状に限られず、走査信号を順次出力する複数の出力端子を有する構造であれば多様な構造とすることが可能である。
【００４３】
そして、複数の配線ＣＬ１〜ＣＬ６はそれぞれ、一方の先端部で駆動ＩＣ４の出力端子Ｃ１〜Ｃ６に接続する。図２に示すように、液晶表示パネル１０のシール部５には、シール部５を貫通するように導電性部材からなるトランスファ１５が設けられている。したがって、複数の配線ＣＬ１〜ＣＬ６はそれぞれ、他方の先端部で、シール部５の内部に設けられたトランスファ１５を介して、コモン電極３−１〜３−６の端部に接続する。
【００４４】
そして、図２に示すように、コモン電極３およびセグメント電極１４を介して液晶層１３に電圧を印加すると、液晶の配向が変化し、液晶は電界に対して垂直になろうとする。その結果、液晶層１３は基板１１、１２に対して平行な方向に配向するようになる。こうした液晶層１３の配向変化により、電圧が印加された領域では、初期の状態と比較して、液晶の屈折率異方性（Δｎ）と液晶層１３の厚み（ｄ）との積（Δｎ・ｄ）によって定まる光の透過特性が変化する。垂直配向型である本実施形態の液晶表示装置１では、電圧の印加部分における光の透過特性の変化を利用して表示が行われる。
【００４５】
以上の構成を有する本実施形態の液晶表示装置１は、駆動ＩＣ４による各コモン電極３−１〜３−６の選択の期間と同期して、画像表示に対応する電圧をセグメント電極１４に印加し、コモン電極３−１〜３−６とセグメント電極１４との交差領域にある液晶層１３の配向変化を促して光の透過特性を変化させる。そして、その変化を利用して高密度のドットマトリクス表示を実現して所望の画像表示を可能とする。
【００４６】
本実施形態の液晶表示装置１は、垂直配向型とすることにより、正面から見たときのコントラスト比が高く、視野角が広いという特性を有し、視認性に優れるという特徴を備える。そして、本実施形態の液晶表示装置１は、マルチプレックス駆動したときに誘発される液晶の流れを低減して、表示ムラを低減することができる。このような効果は、本実施形態の液晶表示装置１における上述の特徴的な配線構造による。以下、本実施形態の液晶表示装置１の配線構造について、さらに説明する。
【００４７】
図１に示すように、本実施形態の液晶表示装置１において、配線ＣＬ１〜ＣＬ６は、上述したように、それぞれがトランスファ１５を介して、液晶表示パネル１０の対応するコモン電極３−１〜３−６に接続する。そのとき、液晶表示パネル１０では、コモン電極３からの配線引き出し方法が、上述したように、図７の従来の液晶表示装置１０００と異なっている。
【００４８】
本実施形態の液晶表示パネル１０では、コモン電極３において配線引き出しの方向が一様ではない。複数のコモン電極３の一部であるコモン電極３−１、３−３、３−５が、水平方向に伸びる左側の端部で引き出される。そして、コモン電極３−１は配線ＣＬ１と接続し、コモン電極３−３は配線ＣＬ２と接続し、コモン電極３−５は配線ＣＬ３と接続する構造を有する。一方、残りの複数のコモン電極３−２、３−４、３−６では、水平方向に伸びる右側の端部で引き出され、コモン電極３−２は配線ＣＬ４と接続し、コモン電極３−４は配線ＣＬ５と接続し、コモン電極３−６は配線ＣＬ６と接続する構造を有する。その結果、液晶表示パネル１０では、垂直方向に複数配置されたコモン電極３−１〜３−６において、水平方向に伸びる左側の端部で引き出されるものと、右側の端部で引き出されるものとが１つずつ互い違いに配置される構成となる。すなわち、液晶表示パネル１０は、引き出される端部の形成方向が、隣接するコモン電極３−１〜３−６の間で互いに異なる方向となるように構成される。さらに詳述すると、引き出される端部の形成方向は反対方向となるように構成されている。
【００４９】
このとき、液晶表示装置１では、走査信号が、駆動ＩＣ４の出力端子Ｃ１〜Ｃ６から、出力端子Ｃ１〜出力端子Ｃ６の順番で順次出力される。その結果、液晶表示パネル１０の垂直方向に配列されたコモン電極３−１〜３−６に対し、まず最上部にあるコモン電極３−１に走査信号が出力され、その後、コモン電極３−３、コモン電極３−５の順で出力される。そして、さらにその後、コモン電極３−２、コモン電極３−４およびコモン電極３−６の順番で走査信号が順次出力されることになる。すなわち、配線取り出しの方向が等しいコモン電極３−１、３−３、３−５に対し、駆動ＩＣ４の出力端子Ｃ１〜Ｃ３から、順次、走査信号が出力された後、配線取り出しの方向がそれらと異なる残りのコモン電極３−２、３−４、３−６に対し、駆動ＩＣ４の出力端子Ｃ４〜Ｃ６から、順次、走査信号が出力されることになる。
【００５０】
したがって、液晶表示装置１では、駆動ＩＣ４の出力端子Ｃ１〜Ｃ６から順次出力される走査信号が、それぞれ水平方向に伸びる形状を有して垂直方向に配列された複数のコモン電極３に対し、１つのコモン電極おきに出力される配線ＣＬ１〜ＣＬ６の配置構造を有することになる。すなわち、本実施形態の液晶表示装置１は、例えば、１つのコモン電極３−１への走査信号の出力の後に続く走査信号の出力が、そのコモン電極３−１と隣接するコモン電極３−２ではない、コモン電極３−３に対して行われる配線ＣＬ１〜ＣＬ６の配置構造を備える。
【００５１】
図３は、本実施形態における画像表示の方法を説明する図であり、図３（ａ）は、本実施形態の液晶表示装置を用いて行う画像表示の方法を説明する図であり、図３（ｂ）は、従来の液晶表示装置を用いて行う画像表示の方法を説明する図である。
【００５２】
図３（ｂ）に示す画像表示に用いた従来の液晶表示装置１０００−１は、例えば、図７に例示された構造を有する。そして、コモン電極ＣＯＭ１〜ＣＯＭ６が６つ、セグメント電極ＳＥＧ１〜ＳＥＧ７が７つ配設されて、６行７列のドットマトリクス表示を可能とする。図３（ｂ）では、上述の従来の液晶表示装置１０００−１を用いて、「Ｙ」字パターンを表示する方法を示す。従来の液晶表示装置１０００−１を用いた画像表示では、走査信号がコモン電極ＣＯＭ１〜ＣＯＭ６に対し、ＣＯＭ１、ＣＯＭ２、ＣＯＭ３、ＣＯＭ４、ＣＯＭ５、およびＣＯＭ６の順番で出力される。そして、各コモン電極ＣＯＭ１〜ＣＯＭ６の選択期間と同期して、「Ｙ」字パターンの表示に対応する電圧をセグメント電極ＳＥＧ１〜ＳＥＧ７に印加し、コモン電極ＣＯＭ１〜ＣＯＭ６とセグメント電極ＳＥＧ１〜ＳＥＧ７との交差領域にある画素をＯＮ状態にして「Ｙ」字パターンの表示を行う。尚、図３（ｂ）では、○印の付された画素がＯＮ状態にされた画素を表す。
【００５３】
一方、図３（ａ）に示す画像表示の方法を用いて「Ｙ」字パターンの表示を行う本実施形態の液晶表示装置１は、図１に示された構造を有する。このとき、セグメント電極は、７つのセグメント電極ｓ１〜ｓ７が配設され、本実施形態の液晶表示装置１は、図３（ｂ）の従来の液晶表示装置１０００−１と同様の６行７列のドットマトリクス表示を可能とする。図３（ａ）では、本実施形態の液晶表示装置１を用い、図３（ｂ）に示した従来の液晶表示装置１０００−１を用いた場合と同様の「Ｙ」字パターンを表示する表示方法を示す。
【００５４】
図３（ａ）に示すように、液晶表示装置１では、走査信号がコモン電極３−１〜３−６に対し、最上部にあるコモン電極３−１に出力された後、コモン電極３−３、コモン電極３−５の順番で出力され、その後、コモン電極３−２、コモン電極３−４およびコモン電極３−６の順番で順次出力される。そして、各コモン電極３−１〜３−６の選択期間と同期して、「Ｙ」字パターンの表示に対応する電圧をセグメント電極ｓ１〜ｓ７に印加し、コモン電極３−１〜３−６とセグメント電極ｓ１〜ｓ７との交差領域にある画素をＯＮ状態にする。こうして、ＯＮ状態にされた各画素から「Ｙ」字パターンを合成し、画像表示を行う。尚、図３（ａ）では、○印の付された画素がＯＮ状態にされた画素を表す。
【００５５】
こうした配線構造と画像の形成方法を有する本実施形態の液晶表示装置１は、１つのコモン電極の選択によって液晶（図示されない）の流れが誘起されても、それに続くコモン電極の選択が、隣接したコモン電極で行われず、コモン電極１つを挟んで隔離された場所で行われるため、発生した液晶の流れを助長させることがない。その結果、例えば、図７に示したような、垂直配向型の従来の液晶表示装置１０００において、マルチプレックス駆動したときに誘発される液晶の流れを低減することができて、表示ムラを低減することができる。
【００５６】
［実施形態２］
図４は、本発明の第２実施形態の液晶表示装置の構造を模式的に説明する平面図である。
【００５７】
図４に示す本実施形態の液晶表示装置１０１は、垂直配向モードの液晶表示パネル１１０と、液晶表示パネル１１０上に配置されて走査信号を複数の出力端子Ｃ１０１〜Ｃ１０６から順次出力する駆動ＩＣ１０４と、液晶表示パネル１１０のコモン電極１０３と駆動ＩＣ１０４とを接続する複数の配線ＣＬ１０１〜ＣＬ１０６とを有する。
【００５８】
液晶表示パネル１１０は、配線ＣＬ１０１〜ＣＬ１０６と接続するコモン電極１０３の端部の構造が異なる以外、上述した第１実施形態の液晶表示パネル１０と同様の構造を有している。そして、液晶表示装置１０１は、液晶表示パネル１１０と複数の配線ＣＬ１０１〜ＣＬ１０６とにおける、配線引き出しの構造や配線構造が異なる以外は、上述した第１実施形態の液晶表示装置１と同様の構造を有している。以下、本実施形態の液晶表示装置１０１の説明において、上述した第１実施形態の液晶表示装置１と重複する説明は省略するようにする。
【００５９】
図４に示すように、本実施形態の液晶表示装置１０１の液晶表示パネル１１０は、観察者（図示されない）の側に配置される透明な基板１１１と、基板１１１に対向して観察者とは反対側に配置される透明な基板１１２との間に、液晶層（図示されない）が挟持されて構成される。そして、液晶層の周囲にはシール部１０５が設けられ、液晶層を挟持する基板１１１と基板１１２とを互いに固定する。液晶表示パネル１１０の液晶層は、ネマチック液晶からなる。本実施形態の液晶表示装置１０１では液晶表示パネル１１０の液晶層を、初期配向状態が基板１１１、１１２と概ね垂直（垂直配向）となるように配向された負の誘電率異方性（Δε）を有する液晶層とすることが可能である。その場合、液晶表示パネル１１０は、上述したように、垂直配向モードとなる。
【００６０】
図４に示すように、液晶層を挟持する２枚の基板１１１、１１２のそれぞれの内面には複数のコモン電極１０３と複数のセグメント電極（図示されない）が配置されている。
図４に示される垂直配向モードの液晶表示パネル１１０は、水平方向（行方向）に伸びる複数の細長い短冊状のコモン電極１０３と、コモン電極１０３と交差するように垂直方向（列方向）に伸びる複数のセグメント電極（図示されない）とを有する。コモン電極１０３は基板１１１上に配置され、セグメント電極（図示されない）は基板１１２上に配置される。尚、コモン電極１０３とセグメント電極は、例えば、ＩＴＯなどの透明な導電性材料からなる透明導電膜をパターニングして形成される。
【００６１】
図４に示すように、複数のコモン電極１０３−１〜１０３−６は、例えば、それぞれ水平方向に伸びる形状を有しており、その両端のうちの一方の端部が使用され、それぞれ配線取り出しが行われる構造を有する。図４に示す液晶表示パネル１１０では、コモン電極１０３のそれぞれにおいて、観察者から向かって左側の端部で配線取り出しが行われる。
【００６２】
尚、図４に示す液晶表示パネル１１０は、コモン電極１０３が水平方向に伸びる構造を有するが、本実施形態においてはこうした構造に限られず、液晶表示パネル１１０のコモン電極が垂直方向（列方向）に伸びる構造とすることも可能である。その場合、セグメント電極は水平方向（行方向）に伸びる構造となる。
【００６３】
また、図４に示すように、液晶表示パネル１１０は、コモン電極１０３が６つ配置された構造を有するが、これは一例であり、本実施形態においてはこうした構造に限られず、液晶表示パネル１１０をより多数のコモン電極１０３を配置した構造とすることが可能である。
【００６４】
液晶表示パネル１１０において、各基板１１１、１１２上のコモン電極１０３およびセグメント電極と液晶層との間には、液晶の均一な初期配向を実現する配向膜（図示されない）が設けられる。液晶層を挟んで対向する２枚の基板１１１、１１２の外面には、２枚の基板１１１、１１２を挟んで、観察者の側とその反対側に一対の偏光板（図示されない）が配置される。偏光板は、液晶層を挟んでクロスニコルを構成するように配置される。
液晶表示装置１０１は、垂直配向モードの液晶表示パネル１１０を用いた垂直配向型のパッシブマトリクス液晶表示装置を構成する。
【００６５】
図４に示すように、液晶表示パネル１１０の基板１１２上の周縁部には駆動ＩＣ１０４が配置されている。駆動ＩＣ１０４は、上述したように、液晶表示パネル１１０の複数のコモン電極１０３−１〜１０３−６に対して、走査信号を順次出力する複数の出力端子Ｃ１０１〜Ｃ１０６を有する。
【００６６】
尚、駆動ＩＣ１０４は、出力端子が６個配置された構造を有するが、これは一例であり、本実施形態においてはこうした構造に限られず、駆動ＩＣ１０４をより多数の出力端子を配置した構造とすることが可能である。そして、駆動ＩＣ１０４の形状および出力端子の配置構造についても、図４に示す形状に限られず、走査信号を順次出力する複数の出力端子を有する構造であれば多様な構造とすることが可能である。
【００６７】
そして、基板１１２上に配置された複数の配線ＣＬ１０１〜ＣＬ１０６はそれぞれ、一方の先端部で駆動ＩＣ１０４の出力端子Ｃ１０１〜Ｃ１０６に接続する。図４に示すように、液晶表示パネル１１０のシール部１０５には、上述した第１実施形態の液晶表示パネル１０のトランスファ１５と同様の、シール部１０５を貫通するように導電性部材から形成されたトランスファ１１５が設けられている。したがって、複数の配線ＣＬ１０１〜ＣＬ１０６はそれぞれ、他方の先端部で、シール部１０５の内部に設けられたトランスファ１１５を介して、基板１１１上に配置されたコモン電極１０３−１〜１０３−６の端部に接続する。換言すると、トランスファ１１５は、基板１１１に配置されたコモン電極１０３と基板１１２に配置された配線ＣＬ１０１〜ＣＬ１０６とを電気的に接続する接続部である。
【００６８】
そして、図４に示すように、コモン電極１０３およびセグメント電極（図示されない）を介して液晶層（図示されない）に電圧を印加すると、液晶の配向が変化し、液晶は電界に対して垂直になろうとする。その結果、液晶層は基板１１１、１１２に対して平行な方向に配向するようになる。こうした液晶層の配向変化により、電圧が印加された領域では、初期の状態と比較して、液晶の屈折率異方性（Δｎ）と液晶層の厚み（ｄ）との積（Δｎ・ｄ）によって定まる光の透過特性が変化する。垂直配向型である本実施形態の液晶表示装置１０１では、電圧の印加部分における光の透過特性の変化を利用して表示が行われる。
【００６９】
そして、以上の構成を有する本実施形態の液晶表示装置１０１は、駆動ＩＣ１０４による各コモン電極１０３−１〜１０３−６の選択の期間と同期して、画像表示に対応する電圧をセグメント電極に印加し、コモン電極１０３−１〜１０３−６とセグメント電極との交差領域にある液晶層の配向変化を促して光の透過特性を変化させ、その変化を利用して高密度のドットマトリクス表示を実現して所望の画像表示を可能とする。
【００７０】
本実施形態の液晶表示装置１０１は、垂直配向型とすることにより、正面から見たときのコントラスト比が高く、視野角が広いという特性を有し、視認性に優れるという特徴を備える。そして、本実施形態の液晶表示装置１０１は、マルチプレックス駆動したときに誘発される液晶の流れを低減して、表示ムラを低減することができる。このような効果は、本実施形態の液晶表示装置１０１における特徴的な配線構造による。以下、本実施形態の液晶表示装置１０１の配線構造について、さらに説明する。
【００７１】
図４に示すように、本実施形態の液晶表示装置１０１は、駆動ＩＣ１０４とコモン電極１０３とを接続する複数の配線ＣＬ１０１〜ＣＬ１０６の接続方法が、上述した従来の液晶表示装置１０００と比較して異なっており、液晶表示装置１０００などと異なる配線ＣＬ１０１〜ＣＬ１０６の配置構造を有する。
【００７２】
すなわち、配線ＣＬ１０１〜ＣＬ１０６は、上述したように、それぞれがトランスファ１１５を介してコモン電極１０３−１〜１０３−６に接続する。そして、本実施形態の液晶表示パネル１１０では、複数の配線ＣＬ１０１〜ＣＬ１０６のうちの少なくとも１つが、絶縁層となるシール部１０５を介して他の配線、または当該他の配線に接続するコモン電極１０３と交差し、パネル内であるシール部１０５の形成領域に、交差部１２０を形成するよう配置されている。尚、ここで交差部とは、基板１１２に配置された配線ＣＬ１０１〜ＣＬ１０６と基板１１１に配置されたコモン電極とが立体的に交差している部位であり、かつ、絶縁性のシール材によって絶縁されている部位である。前記トランスファ１１５が形成されている部位も配線とコモン電極が立体的に交差しているが、この部位は交差部から除外される。したがって、前記交差部は絶縁交差部と称してもよい。
【００７３】
例えば、図４に示すように、複数のコモン電極１０３−１〜１０３−６は、水平方向に伸びる左側の端部で配線が引き出される。そして、複数の配線ＣＬ１０１〜ＣＬ１０６は、配線ＣＬ１０１がコモン電極１０３−１に接続し、配線ＣＬ１０２がコモン電極１０３−４に接続し、配線ＣＬ１０３がコモン電極１０３−２に接続し、配線ＣＬ１０４がコモン電極１０３−５に接続し、配線ＣＬ１０５がコモン電極１０３−３に接続し、配線ＣＬ１０６がコモン電極１０３−６に接続する構造を有する。
【００７４】
このとき、配線ＣＬ１０１〜ＣＬ１０６およびコモン電極１０３−１〜１０３−６の少なくとも一部が、シール部１０５の形成領域で折れ曲がる構造を有している。例えば、配線ＣＬ１０３、配線ＣＬ１０５、コモン電極１０３−４およびコモン電極１０３−５などでは、シール部１０５の形成領域において、端部などのそれらの一部が屈曲する構造を有している。
【００７５】
その結果、図４に示すように、コモン電極１０３−２に接続する配線ＣＬ１０３とコモン電極１０３−４とが、シール部１０５の形成領域で、シール部１０５を介して交差する交差部１２０を形成している。同様に、コモン電極１０３−３に接続する配線ＣＬ１０５が、シール部１０５を介して、コモン電極１０３−４およびコモン電極１０３−５と交差する交差部１２０を形成している。上述のように、シール部１０５の材料は絶縁性であり、絶縁層として機能する。したがって、配線ＣＬ１０３とコモン電極１０３−４との交差部１２０など、いずれの交差部１２０においても立体的に交差しているだけであり、導通することのない絶縁交差部である。
【００７６】
以上の配線ＣＬ１０１〜ＣＬ１０６の配置構造を有する液晶表示装置１０１では、走査信号が、駆動ＩＣ１０４の出力端子Ｃ１０１〜Ｃ１０６から、出力端子Ｃ１０１〜出力端子Ｃ１０６の順番で順次出力される。その結果、液晶表示パネル１１０の垂直方向に配列されたコモン電極１０３−１〜１０３−６のうち、最上部にあるコモン電極１０３−１に走査信号が出力された後、コモン電極１０３−４、コモン電極１０３−２、コモン電極１０３−５、コモン電極１０３−３およびコモン電極１０３−６の順番で走査信号が順次出力されることになる。すなわち、コモン電極１０３−１〜１０３−６に対し、駆動ＩＣ１０４の出力端子Ｃ１０１〜Ｃ１０６から、順次走査信号が出力され、例えば、コモン電極１０３−１に出力された後、次の出力はコモン電極２つ分離れたコモン電極１０３−４に対してなされる。その次には、そのコモン電極１０３−４とコモン電極１つ分離れて配置されるコモン電極１０３−２に対してなされることになる。
【００７７】
したがって、液晶表示装置１０１では、駆動ＩＣ１０４の出力端子Ｃ１０１〜Ｃ１０６から順次出力される走査信号が、垂直方向に配置された複数のコモン電極１０３のうちの１つのコモン電極に対し出力された後、コモン電極を１つ以上挟んで配置された次のコモン電極に対して出力される配線構造を有することになる。すなわち、複数のコモン電極１０３に対し、１つのコモン電極が選択されて駆動ＩＣ１０４からの走査信号の出力がなされた後、続く走査信号の出力においては、直前に選択された当該１つのコモン電極に隣接するコモン電極１０３が選択されることはない。当該選択された１つのコモン電極に隣接するコモン電極を除いた他のコモン電極１０３が選択されて走査信号が出力される。例えば、本実施形態の液晶表示装置１０１では、１つのコモン電極１０３−１への走査信号の出力の後に続く走査信号の出力がコモン電極１０３−４に対して行われ、コモン電極１０３−１と隣接するコモン電極１０３−２に対して行われることがないように配線ＣＬ１０１〜ＣＬ１０６の配置構造が形成される。
【００７８】
こうした配線構造を有する本実施形態の液晶表示装置１０１は、１つのコモン電極の選択によって液晶（図示されない）の流れが誘起されても、それに続くコモン電極の選択が、隣接したコモン電極で行われず、コモン電極を１つ以上挟んで隔離された場所で行われるため、発生した液晶の流れを助長させることがない。その結果、垂直配向型の液晶表示装置１０１において、マルチプレックス駆動したときに誘発される液晶の流れを低減することができ、表示ムラを低減することができる。尚、本実施形態では、シール部１０５のトランスファ１１５を局所的に配置する導電性部材として説明したが、シール部自体を異方性導電材料として上下間の導通が可能な形態としてもよい。この場合、各基板に配置されるコモン電極および配線上に絶縁膜を形成し、トランスファ部位のみに絶縁膜の開口を設けると、トランスファ部位では上下導通が可能で、交差部では上下間で絶縁となる。
【００７９】
［実施形態３］
図５は、本発明の第３実施形態の液晶表示装置の構造を模式的に説明する平面図である。
【００８０】
図５に示す本実施形態の液晶表示装置２０１は、垂直配向モードの液晶表示パネル２１０と、液晶表示パネル２１０に接続するフレキシブルなプリント基板２２１上に配置されて走査信号を複数の出力端子から順次出力する駆動ＩＣ２０４と、液晶表示パネル２１０のコモン電極２０３と駆動ＩＣ２０４とを接続する複数の配線ＣＬ２０１〜ＣＬ２０６とを有する。
【００８１】
液晶表示パネル２１０は、コモン電極２０３からの配線引き出し構造が異なる以外、上述した第１実施形態の液晶表示パネル１０と同様の構造を有している。そして、液晶表示装置２０１では、上述したように、液晶表示パネル２１０にフレキシブルなプリント基板２２１が接続された構造を有する。このプリント基板２２１は、一方で液晶表示パネル２１０と接続し、他方で、液晶表示装置２０１の駆動回路（図示されない）が形成された剛直な板状体からなるプリント基板２２２と接続している。そして、そのプリント基板２２１上に駆動ＩＣ２０４が載置されており、液晶表示パネル２１０のコモン電極２０３と駆動ＩＣ２０４とを接続する配線ＣＬ２０１〜ＣＬ２０６は、一部がプリント基板２２１上に配置され、他の部分が液晶表示パネル２１０上に配置されている。
【００８２】
図５に示すように、本実施形態の液晶表示装置２０１の液晶表示パネル２１０は、観察者（図示されない）の側に配置される透明な基板２１１と、基板２１１に対向して観察者とは反対側に配置される透明な基板２１２との間に、液晶層（図示されない）が挟持されて構成される。そして、液晶層の周囲にはシール部２０５が設けられ、液晶層を挟持する基板２１１と基板２１２とを互いに固定する。液晶表示パネル２１０の液晶層は、ネマチック液晶からなる。本実施形態の液晶表示装置２０１では液晶層を、初期配向状態が基板と概ね垂直（垂直配向）となるように配向された負の誘電率異方性（Δε）を有する液晶層とすることが可能である。その場合、液晶表示パネル２１０は、上述したように、垂直配向モードとなる。
【００８３】
図５に示すように、液晶層を挟持する２枚の基板２１１、２１２のそれぞれの内面には複数のコモン電極２０３と複数のセグメント電極（図示されない）が配置されている。
図５に示される垂直配向モードの液晶表示パネル２１０は、水平方向（行方向）に伸びる複数の細長い短冊状のコモン電極２０３と、コモン電極２０３と交差するように垂直方向（列方向）に伸びる複数のセグメント電極（図示されない）とを有する。コモン電極２０３は基板２１１上に配置され、セグメント電極（図示されない）は基板２１２上に配置される。尚、コモン電極２０３とセグメント電極は、例えば、ＩＴＯなどの透明な導電性材料からなる透明導電膜をパターニングして形成される。
【００８４】
図５に示すように、複数のコモン電極２０３−１〜２０３−６は、例えば、それぞれ水平方向に伸びる形状を有しており、その両端のうちの一方の端部が使用され、それぞれ配線取り出しが行われる構造を有する。図５に示す液晶表示パネル２１０では、コモン電極２０３−１、２０３−２、２０３−３において、観察者から向かって左側の端部で配線取り出しが行われ、コモン電極２０３−４、２０３−５、２０３−６において、観察者から向かって右側の端部で配線取り出しが行われている。
【００８５】
尚、図５に示す液晶表示パネル２１０は、コモン電極２０３が水平方向に伸びる構造を有するが、本実施形態においてはこうした構造に限られず、液晶表示パネル２１０のコモン電極が垂直方向（列方向）に伸びる構造とすることも可能である。その場合、セグメント電極は水平方向（行方向）に伸びる構造となる。
【００８６】
また、図５に示すように、液晶表示パネル２１０は、コモン電極２０３が６つ配置された構造を有するが、これは一例であり、本実施形態においてはこうした構造に限られず、液晶表示パネル２１０をより多数のコモン電極２０３を配置した構造とすることが可能である。
【００８７】
液晶表示パネル２１０において、各基板２１１、２１２上のコモン電極２０３およびセグメント電極と液晶層との間には、液晶の均一な初期配向を実現する配向膜（図示されない）が設けられる。液晶層を挟んで対向する２枚の基板２１１、２１２の外面には、２枚の基板２１１、２１２を挟んで、観察者の側とその反対側に一対の偏光板（図示されない）が配置される。偏光板は、液晶層を挟んでクロスニコルを構成するように配置される。
液晶表示装置２０１は、垂直配向モードの液晶表示パネル２１０を用いた垂直配向型のパッシブマトリクス液晶表示装置を構成する。
【００８８】
図５に示すように、液晶表示パネル２１０の端部にはフレキシブルなプリント基板２２１が接続され、そのプリント基板２２１上には駆動ＩＣ２０４が配置されている。駆動ＩＣ２０４は、上述したように、液晶表示パネル２１０の複数のコモン電極２０３−１〜２０３−６に対して、走査信号を順次出力する複数の出力端子Ｃ２０１〜Ｃ２０６を有する。
【００８９】
尚、駆動ＩＣ２０４は、出力端子が６個配置された構造を有するが、これは一例であり、本実施形態においてはこうした構造に限られず、駆動ＩＣ２０４をより多数の出力端子を配置した構造とすることが可能である。そして、駆動ＩＣ２０４の形状および出力端子の配置構造についても、図５に示す形状に限られず、走査信号を順次出力する複数の出力端子を有する構造であれば多様な構造とすることが可能である。
【００９０】
そして、複数の配線ＣＬ２０１〜ＣＬ２０６はそれぞれ、一方の先端部で駆動ＩＣ２０４の出力端子Ｃ２０１〜Ｃ２０６に接続する。図５に示すように、液晶表示パネル２１０のシール部２０５には、上述した第１実施形態の液晶表示パネル１０のトランスファ１５と同様の、シール部２０５を貫通するように導電性部材から形成されたトランスファ２１５が設けられている。したがって、複数の配線ＣＬ２０１〜ＣＬ２０６はそれぞれ、他方の先端部で、シール部２０５の内部に設けられたトランスファ２１５を介して、コモン電極２０３−１〜２０３−６の端部に接続する。
【００９１】
そして、図５に示すように、コモン電極２０３およびセグメント電極（図示されない）を介して液晶層（図示されない）に電圧を印加すると、液晶の配向が変化し、液晶は電界に対して垂直になろうとする。その結果、液晶層は基板２１１、２１２に対して平行な方向に配向するようになる。こうした液晶層の配向変化により、電圧が印加された領域では、初期の状態と比較して、液晶の屈折率異方性（Δｎ）と液晶層の厚み（ｄ）との積（Δｎ・ｄ）によって定まる光の透過特性が変化する。垂直配向型である本実施形態の液晶表示装置２０１では、電圧の印加部分における光の透過特性の変化を利用して表示が行われる。
【００９２】
そして、以上の構成を有する本実施形態の液晶表示装置２０１は、駆動ＩＣ２０４による各コモン電極２０３−１〜２０３−６の選択の期間と同期して、画像表示に対応する電圧をセグメント電極に印加し、コモン電極２０３−１〜２０３−６とセグメント電極との交差領域にある液晶層の配向変化を促して光の透過特性を変化させ、その変化を利用して高密度のドットマトリクス表示を実現して所望の画像表示を可能とする。
【００９３】
本実施形態の液晶表示装置２０１は、垂直配向型とすることにより、正面から見たときのコントラスト比が高く、視野角が広いという特性を有し、視認性に優れるという特徴を備える。そして、本実施形態の液晶表示装置２０１は、マルチプレックス駆動したときに誘発される液晶の流れを低減して、表示ムラを低減することができる。このような効果は、本実施形態の液晶表示装置２０１における特徴的な配線構造による。以下、本実施形態の液晶表示装置２０１の配線構造について、さらに説明する。
【００９４】
図５に示すように、本実施形態の液晶表示装置２０１は、駆動ＩＣ２０４とコモン電極２０３とを接続する複数の配線ＣＬ２０１〜ＣＬ２０６の接続方法が、上述した従来の液晶表示装置１０００などと比較して異なっており、液晶表示装置１０００などと異なる配線ＣＬ２０１〜ＣＬ２０６の配置構造を有する。
【００９５】
すなわち、配線ＣＬ２０１〜ＣＬ２０６は、上述したように、液晶表示パネル２１０のコモン電極２０３と駆動ＩＣ２０４とを接続するが、その一部がプリント基板２２１上に配置されている。そして、本実施形態の液晶表示装置２０１では、複数の配線ＣＬ２０１〜ＣＬ２０６のうちの少なくとも１つが、絶縁層となるプリント基板２２１を介して他の配線と交差し、プリント基板２２１上に交差部を形成するよう配置されている。プリント基板２２１上に形成される交差部は、プリント基板２２１上に設けられたスルーホール２２３を介して、配線の一部がプリント基板２２１の裏面に回り込み、プリント基板２２１の上面に形成された他の配線と交差することにより形成される。
【００９６】
例えば、図５に示すように、複数のコモン電極２０３−１〜２０３−６は、コモン電極２０３−１〜２０３−３が水平方向に伸びる左側の端部で引き出され、コモン電極２０３−４〜２０３−６が水平方向に伸びる右側の端部で引き出される。そして、複数の配線ＣＬ２０１〜ＣＬ２０６は、配線ＣＬ２０１がコモン電極２０３−１に接続し、配線ＣＬ２０２がコモン電極２０３−２に接続し、配線ＣＬ２０３がコモン電極２０３−３に接続し、配線ＣＬ２０４がコモン電極２０３−４に接続し、配線ＣＬ２０５がコモン電極２０３−５に接続し、配線ＣＬ２０６がコモン電極２０３−６に接続する構造を有する。
【００９７】
このとき、例えば、図５に示すように、コモン電極２０３−３に接続する配線ＣＬ２０３がスルーホール２２３を用いてプリント基板２２１の裏面に回り込む。そして、配線ＣＬ２０３は、プリント基板２２１上、配線ＣＬ２０６との間に、プリント基板２２１を介して交差する交差部を形成している。同様に、コモン電極２０３−４に接続する配線ＣＬ２０４が、プリント基板２２１を介して、配線ＣＬ２０２、ＣＬ２０３、ＣＬ２０５およびＣＬ２０６と交差する交差部を形成している。プリント基板２２１は絶縁性であり、絶縁層として機能する。したがって、配線ＣＬ２０３と配線ＣＬ２０６との交差部など、いずれの交差部においても、プリント基板２２１を介して上下の配線で絶縁交差部となっており、上下の配線で導通することはない。尚、前記スルーホール２２３は、第２実施形態におけるトランスファ１１５を同様の機能を有しており、上下の配線において交差している部位であるが、上下の配線を導通させる部位であるため、本明細書における交差部（絶縁交差部）とは異なる定義のものである。
【００９８】
以上のような交差部を設けることにより、本実施形態の液晶表示装置２０１では、配線ＣＬ２０１は駆動ＩＣ２０４の出力端子Ｃ２０１に接続し、配線ＣＬ２０２は駆動ＩＣ２０４の出力端子Ｃ２０３に接続し、配線ＣＬ２０３は駆動ＩＣ２０４の出力端子Ｃ２０５に接続し、配線ＣＬ２０４は駆動ＩＣ２０４の出力端子Ｃ２０２に接続し、配線ＣＬ２０５は駆動ＩＣ２０４の出力端子Ｃ２０４に接続し、配線ＣＬ２０６は駆動ＩＣ２０４の出力端子Ｃ２０６に接続する。
【００９９】
以上の配線構造を有する液晶表示装置２０１では、走査信号が、駆動ＩＣ２０４の出力端子Ｃ２０１〜Ｃ２０６から、出力端子Ｃ２０１〜出力端子Ｃ２０６の順番で順次出力される。その結果、液晶表示パネル２１０の垂直方向に配列されたコモン電極２０３−１〜２０３−６のうち、最上部にあるコモン電極２０３−１に走査信号が出力された後、コモン電極２０３−４、コモン電極２０３−２、コモン電極２０３−５、コモン電極２０３−３およびコモン電極２０３−６の順番で走査信号が順次出力されることになる。
【０１００】
すなわち、コモン電極２０３−１〜２０３−６に対し、駆動ＩＣ２０４の出力端子Ｃ２０１〜Ｃ２０６から、順次、走査信号が出力され、例えば、コモン電極２０３−１に出力された後、次の出力はコモン電極２つ分離れたコモン電極２０３−４に対してなされ、その次には、そのコモン電極２０３−４とコモン電極１つ分離れて配置されるコモン電極２０３−２に対してなされることになる。
【０１０１】
したがって、図５に示す液晶表示装置２０１では、駆動ＩＣ２０４の出力端子Ｃ２０１〜Ｃ２０６から順次出力される走査信号が、それぞれ水平方向に伸びる形状を有して垂直方向に配列された複数のコモン電極２０３のうちの１つのコモン電極に対し出力された後、コモン電極を１つ以上挟んで配置された次のコモン電極に対して出力される配線ＣＬ２０１〜ＣＬ２０６の配置構造を有することになる。すなわち、複数のコモン電極２０３に対し、１つのコモン電極が選択されて駆動ＩＣ２０４からの走査信号の出力がなされた後、続く走査信号の出力においては、直前に選択されたコモン電極に隣接するコモン電極が選択されることはない。当該選択された１つのコモン電極に隣接するコモン電極を除いた他のコモン電極２０３が選択されて走査信号が出力される。例えば、本実施形態の液晶表示装置２０１では、１つのコモン電極２０３−１への走査信号の出力の後に続く走査信号の出力がコモン電極２０３−４に対して行われ、コモン電極２０３−１と隣接するコモン電極２０３−２に対して行われることがないように配線ＣＬ２０１〜ＣＬ２０６の配置構造が形成される。
【０１０２】
こうした配線構造を有する本実施形態の液晶表示装置２０１は、１つのコモン電極の選択によって液晶（図示されない）の流れが誘起されても、それに続くコモン電極の選択が、隣接したコモン電極で行われず、コモン電極１つを挟んで隔離された場所で行われるため、発生した液晶の流れを助長させることがない。その結果、垂直配向型の液晶表示装置２０１において、マルチプレックス駆動したときに誘発される液晶の流れを低減することができて、表示ムラを低減することができる。
【０１０３】
［実施形態４］
図６は、本発明の第４実施形態の液晶表示装置の構造を模式的に説明する平面図である。
【０１０４】
図６に示す本実施形態の液晶表示装置３０１は、垂直配向モードの液晶表示パネル２１０と、液晶表示パネル２１０に接続するプリント基板３２２上に配置されて走査信号を複数の出力端子から順次出力する駆動ＩＣ２０４と、液晶表示パネル２１０のコモン電極２０３と駆動ＩＣ２０４とを接続する複数の配線ＣＬ３０１〜ＣＬ３０６とを有する。
プリント基板３２２は、剛直な板状体からなり、その上には他に液晶表示装置３０１の駆動回路（図示されない）が形成されている。プリント基板３２２は、液晶表示パネル２１０に接続するフレキシブルなプリント基板３２１を介して液晶表示パネル２１０と接続する構造を有する。
【０１０５】
液晶表示装置３０１は、駆動ＩＣ２０４がプリント基板３２２上に配置されるため、配線ＣＬ３０１〜ＣＬ３０６の構造が異なる以外、上述した第３実施形態の液晶表示装置２０１と同様の構造を有している。液晶表示装置３０１は、垂直配向モードの液晶表示パネル２１０を有する、垂直配向型のパッシブマトリクス液晶表示装置を構成する。したがって、図６中、第３実施形態の液晶表示装置２０１と共通する構成要素については、同一の符号を用い、重複する説明は省略する。
【０１０６】
液晶表示装置３０１は、上述したように、駆動ＩＣ２０４が載置されるプリント基板３２２が、フレキシブルなプリント基板３２１を介して液晶表示パネル２１０に接続する構造を有している。そのため、液晶表示パネル２１０のコモン電極２０３と駆動ＩＣ２０４とを接続する配線ＣＬ３０１〜ＣＬ３０６は、一部がプリント基板３２２とフレキシブルなプリント基板３２１上に配置され、他の部分が液晶表示パネル上２１０上に配置されている。
【０１０７】
そして、複数の配線ＣＬ３０１〜ＣＬ３０６はそれぞれ、一方の先端部で駆動ＩＣ２０４の出力端子Ｃ２０１〜Ｃ２０６に接続する。図６に示すように、液晶表示パネル２１０のシール部２０５には、上述した第１実施形態の液晶表示パネル１０のトランスファ１５と同様の、シール部２０５を貫通するように導電性部材から形成されたトランスファ２１５が設けられている。したがって、複数の配線ＣＬ２０１〜ＣＬ２０６はそれぞれ、他方の先端部で、シール部２０５の内部に設けられたトランスファ２１５を介して、コモン電極２０３−１〜２０３−６の端部に接続する。
【０１０８】
そして、図６に示すように、コモン電極２０３およびセグメント電極（図示されない）を介して液晶層（図示されない）に電圧を印加すると、液晶の配向が変化し、液晶は電界に対して垂直になろうとする。その結果、液晶層は基板２１１、２１２に対して平行な方向に配向するようになる。こうした液晶層の配向変化により、電圧が印加された領域では、初期の状態と比較して、液晶の屈折率異方性（Δｎ）と液晶層の厚み（ｄ）との積（Δｎ・ｄ）によって定まる光の透過特性が変化する。垂直配向型である本実施形態の液晶表示装置３０１では、電圧の印加部分における光の透過特性の変化を利用して表示が行われる。
【０１０９】
そして、以上の構成を有する本実施形態の液晶表示装置３０１は、駆動ＩＣ２０４による各コモン電極２０３−１〜２０３−６の選択の期間と同期して、画像表示に対応する電圧をセグメント電極に印加し、コモン電極２０３−１〜２０３−６とセグメント電極との交差領域にある液晶層の配向変化を促して光の透過特性を変化させ、その変化を利用して高密度のドットマトリクス表示を実現して所望の画像表示を可能とする。
【０１１０】
本実施形態の液晶表示装置３０１は、垂直配向型とすることにより、正面から見たときのコントラスト比が高く、視野角が広いという特性を有し、視認性に優れるという特徴を備える。そして、本実施形態の液晶表示装置３０１は、マルチプレックス駆動したときに誘発される液晶の流れを低減して、表示ムラを低減することができる。このような効果は、本実施形態の液晶表示装置３０１における特徴的な配線構造による。以下、本実施形態の液晶表示装置３０１の配線構造について、さらに説明する。
【０１１１】
図６に示すように、本実施形態の液晶表示装置３０１は、駆動ＩＣ２０４とコモン電極２０３とを接続する複数の配線ＣＬ３０１〜ＣＬ３０６の接続方法が、上述した従来の液晶表示装置１０００などと比較して異なっており、異なる配線ＣＬ３０１〜ＣＬ３０６の配置構造を有する。
【０１１２】
すなわち、配線ＣＬ３０１〜ＣＬ３０６は、上述したように、液晶表示パネル２１０のコモン電極２０３と駆動ＩＣ２０４とを接続するが、その一部がプリント基板３２２上に配置されている。そして、本実施形態の液晶表示装置３０１では、複数の配線ＣＬ３０１〜ＣＬ３０６のうちの少なくとも１つが、絶縁層となるプリント基板３２２を介して他の配線と交差し、プリント基板３２２上に交差部を形成するよう構成されている。プリント基板３２２上に形成される交差部は、プリント基板３２２上に設けられたスルーホール３２３を介して、配線の一部がプリント基板３２２の裏面に回り込み、プリント基板３２２の上面に形成された他の配線と交差することにより形成される。
【０１１３】
例えば、図６に示すように、複数のコモン電極２０３−１〜２０３−６は、コモン電極２０３−１〜２０３−３が水平方向に伸びる左側の端部で配線が引き出され、コモン電極２０３−４〜２０３−６が水平方向に伸びる右側の端部で配線が引き出される。そして、複数の配線ＣＬ３０１〜ＣＬ３０６は、配線ＣＬ３０１がコモン電極２０３−１に接続し、配線ＣＬ３０２がコモン電極２０３−２に接続し、配線ＣＬ３０３がコモン電極２０３−３に接続し、配線ＣＬ３０４がコモン電極２０３−４に接続し、配線ＣＬ３０５がコモン電極２０３−５に接続し、配線ＣＬ３０６がコモン電極２０３−６に接続する構造を有する。
【０１１４】
このとき、例えば、図６に示すように、コモン電極２０３−３に接続する配線ＣＬ３０３がスルーホール３２３を用いてプリント基板３２２の裏面に回り込む。そして、配線ＣＬ３０３は、プリント基板３２２上で配線ＣＬ３０６との間に、プリント基板３２２を介して交差する交差部を形成している。同様に、コモン電極２０３−４に接続する配線ＣＬ３０４が、プリント基板３２２を介して、配線ＣＬ３０２、ＣＬ３０３、ＣＬ３０５およびＣＬ３０６と交差する交差部を形成している。プリント基板３２２は絶縁性であり、絶縁層として機能する。したがって、配線ＣＬ３０３と配線ＣＬ３０６との交差部など、いずれの交差部においても導通することはない。
【０１１５】
以上のような交差部を設けることにより、本実施形態の液晶表示装置３０１では、配線ＣＬ３０１は駆動ＩＣ２０４の出力端子Ｃ２０１に接続し、配線ＣＬ３０２は駆動ＩＣ２０４の出力端子Ｃ２０３に接続し、配線ＣＬ３０３は駆動ＩＣ２０４の出力端子Ｃ２０５に接続し、配線ＣＬ３０４は駆動ＩＣ２０４の出力端子Ｃ２０２に接続し、配線ＣＬ３０５は駆動ＩＣ２０４の出力端子Ｃ２０４に接続し、配線ＣＬ３０６は駆動ＩＣ２０４の出力端子Ｃ２０６に接続する。
【０１１６】
以上の配線構造を有する液晶表示装置３０１では、走査信号が、駆動ＩＣ２０４の出力端子Ｃ２０１〜Ｃ２０６から、出力端子Ｃ２０１〜出力端子Ｃ２０６の順番で順次出力される。その結果、液晶表示パネル２１０の垂直方向に配列されたコモン電極２０３−１〜２０３−６のうち、まず最上部にあるコモン電極２０３−１に走査信号が出力された後、コモン電極２０３−４、コモン電極２０３−２、コモン電極２０３−５、コモン電極２０３−３およびコモン電極２０３−６の順番で走査信号が順次出力されることになる。すなわち、コモン電極２０３−１〜２０３−６に対し、駆動ＩＣ２０４の出力端子Ｃ２０１〜Ｃ２０６から、順次、走査信号が出力され、例えば、コモン電極２０３−１に出力された後、次の出力はコモン電極２つ分離れたコモン電極２０３−４に対してなされ、その次には、そのコモン電極２０３−４とコモン電極１つ分離れて配置されるコモン電極２０３−２に対してなされることになる。
【０１１７】
したがって、図６に示す液晶表示装置３０１では、駆動ＩＣ２０４の出力端子Ｃ２０１〜Ｃ２０６から順次出力される走査信号が、垂直方向に配置された複数のコモン電極２０３のうちの１つのコモン電極に対し出力された後、コモン電極を１つ以上挟んで配置された次のコモン電極に対して出力される配線構造を有することになる。すなわち、複数のコモン電極２０３に対し、１つのコモン電極が選択されて駆動ＩＣ２０４からの走査信号の出力がなされた後、続く走査信号の出力においては、直前に選択されたコモン電極に隣接するコモン電極２０３が選択されることはない。当該選択された１つのコモン電極に隣接するコモン電極を除いた他のコモン電極２０３が選択されて走査信号が出力される。例えば、本実施形態の液晶表示装置２０１では、１つのコモン電極２０３−１への走査信号の出力の後に続く走査信号の出力がコモン電極２０３−４に対して行われ、コモン電極２０３−１と隣接するコモン電極２０３−２に対して行われることがないように配線ＣＬ３０１〜ＣＬ３０６の配置構造が形成される。
【０１１８】
こうした配線構造を有する本実施形態の液晶表示装置３０１は、１つのコモン電極の選択によって液晶（図示されない）の流れが誘起されても、それに続くコモン電極の選択が、隣接したコモン電極で行われず、コモン電極１つを挟んで隔離された場所で行われるため、発生した液晶の流れを助長させることがない。その結果、垂直配向型の液晶表示装置３０１において、マルチプレックス駆動したときに誘発される液晶の流れを低減することができ、表示ムラを低減することができる。
【０１１９】
尚、本発明は上記した各実施形態に限定されるものではなく、本発明の趣旨を逸脱しない範囲内において、種々変形して実施することができる。
【符号の説明】
【０１２０】
１、１０１、２０１、３０１、１０００、１０００−１    液晶表示装置
３、３−１、３−２、３−３、３−４、３−５、３−６、１０３、１０３−１、１０３−２、１０３−３、１０３−４、１０３−５、１０３−６、２０３、２０３−１、２０３−２、２０３−３、２０３−４、２０３−５、２０３−６、１００３、１００３−１、１００３−２、１００３−３、１００３−４、１００３−５、１００３−６    コモン電極
４、１０４、２０４、１００４    駆動ＩＣ
５、１０５、２０５、１００５    シール部
１０、１１０、２１０、１００１    液晶表示パネル
１１、１２、１１１、１１２、２１１、２１２、１０１１、１０１２    基板
１３    液晶層
１４、ｓ１、ｓ２、ｓ３、ｓ４、ｓ５、ｓ６、ｓ７    セグメント電極
１５、１１５、２１５    トランスファ
１２０    交差部
２２１、２２２、３２１、３２２    プリント基板
２２３、３２３    スルーホール
Ｃ１、Ｃ２、Ｃ３、Ｃ４、Ｃ５、Ｃ６、Ｃ１０１、Ｃ１０２、Ｃ１０３、Ｃ１０４、Ｃ１０５、Ｃ１０６、Ｃ２０１、Ｃ２０２、Ｃ２０３、Ｃ２０４、Ｃ２０５、Ｃ２０６、Ｃ１００１、Ｃ１００２、Ｃ１００３、Ｃ１００４、Ｃ１００５、Ｃ１００６    出力端子
ＣＬ１、ＣＬ２、ＣＬ３、ＣＬ４、ＣＬ５、ＣＬ６、ＣＬ１０１、ＣＬ１０２、ＣＬ１０３、ＣＬ１０４、ＣＬ１０５、ＣＬ１０６、ＣＬ２０１、ＣＬ２０２、ＣＬ２０３、ＣＬ２０４、ＣＬ２０５、ＣＬ２０６、ＣＬ３０１、ＣＬ３０２、ＣＬ３０３、ＣＬ３０４、ＣＬ３０５、ＣＬ３０６、ＣＬ１００１、ＣＬ１００２、ＣＬ１００３、ＣＬ１００４、ＣＬ１００５、ＣＬ１００６    配線
【図１】
2013057833.tif 000003
【図２】
2013057833.tif 000004
【図３】
2013057833.tif 000005
【図４】
2013057833.tif 000006
【図５】
2013057833.tif 000007
【図６】
2013057833.tif 000008
【図７】
2013057833.tif 000009